(57)【特許請求の範囲】
【請求項１】
マイクロリアクターのマイクロ流路に、三重項状態の酸素（３Ｏ２）ガスが水と共に気液混合流体として圧入供給されると共に、光照射面以外の流路形成面に付着コートされた光増感剤が、光照射手段にて光照射され、
該三重項状態の酸素と水との該気液混合流体は、粘性が支配的であり、該マイクロ流路を入り乱れて乱流となることなく滑るように層流となって流れ、
もって該気液混合流体は、単位容積当たりの接触面積が極めて広い状態で、該光増感剤と界面で接触すると共に、界面を介した分子相互間の分子拡散に基づき変換工程、そして中間反応工程や生成反応工程が実施され、
まず該変換工程では、光照射に基づく光吸収により該光増感剤において励起エネルギーが生成されると共に、生成された該励起エネルギーが界面で該三重項状態の酸素に移され、もって該三重項状態の酸素が、一重項状態の酸素（１Ｏ２）に変換され、
次に該中間反応工程では、該一重項状態の酸素は、その求核性に基づきプロトン（Ｈ＋）を捕捉して、ヒドロペルオキシド（ＨＯ２）が生成され、
もって該生成反応工程において、該ヒドロペルオキシドは、その求電子性に基づき対電子（２ｅ−）およびプロトン（Ｈ＋）が付加されて、過酸化水素（Ｈ２Ｏ２）が生成され、
このように、マイクロリアクターを利用することにより、過酸化水素を使用現場・需要場所で製造可能となる機能を発揮すること、を特徴とする過酸化水素の製造方法。
【発明の詳細な説明】
【技術分野】
【０００１】
本発明は、過酸化水素の製造方法に関する。
【背景技術】
【０００２】
《技術的背景》
過酸化水素（Ｈ２Ｏ２）は、酸化剤として広く用いられており、周知のように、漂白剤，消毒剤，殺菌剤，防腐剤，触媒，爆薬，燃料，分析試薬，その他に、使用されている。
そして、硝酸，塩素，クロム等重金属系酸化剤等に比べ、酸化反応時において環境負荷の高い副生物や廃棄物を派生せず、クリーンな酸化剤として需要が伸びつつある。精密化学品，医薬品，電子材料等としても、工業的に大量使用されつつある。
【０００３】
《従来技術》
このような過酸化水素の工業的製造方法としては、いわゆる有機法と電解法が知られていたが、現在は有機法が主流となっている。
有機法による過酸化水素の製造方法、つまりヒドロキノン類を自動酸化するＡＯ（Ａｕｔｏ  Ｏｘｉｄａｔｉｏｎ）プロセス法による製造方法としては、現在、アントラキノンを用いるプロセスが確立している。そこで、アントラキノン法のプロセスについて、図４を参照して概略を説明する。
アントラキノン法では、まず、図４のステップ（１），（２），（３）において、２−エチルアントラキノン（Ｃ１６Ｈ１２Ｏ２）を、不溶性の有機溶剤例えばベンゼンに、混合，溶解する。その溶液は作動液と称される。次に、ステップ（４），（５），（６）において、この作動液を、水素（Ｈ２）で還元させて、２−エチルアントラヒドロキノン（Ｃ１６Ｈ１４Ｏ２）とする（下記化１の反応式を参照）。
それからステップ（７），（８）で、この２−エチルアントラヒドロキノンを、酸素ガス（Ｏ２）つまり空気で酸化させる。すると、元の２−エチルアントラキノンに戻ると共に、過酸化水素（Ｈ２Ｏ２）が副生される（下記化２の反応式を参照）。
そして、２−エチルアントラキノンは、ステップ（１）に戻されて再利用され、過酸化水素は、ステップ（９），（１０）において、２−エチルアントラキノンから水で抽出，分離される。アントラキノン法の反応式については、次の化１，化２のとおり。
【０００４】
【化１】
0005508150.tif 000002
【化２】
0005508150.tif 000003
【先行技術文献】
【特許文献】
【０００５】
このような従来のアントラキノン法としては、例えば、次の特許文献１に示されたものが挙げられる。
【特許文献１】特開平８−２９０４号公報
【発明の概要】
【発明が解決しようとする課題】
【０００６】
ところで、このような従来のアントラキノン法による過酸化水素の製造方法については、次の課題が指摘されていた。
《第１の問題点》
第１に、従来のＡＯプロセス法、つまりアントラキノン法による製造方法については、まず、触媒機能を果たす２−エチルアントラキノンの製造工程や、２−エチルアントラヒドロキノンの酸化工程や、２−エチルアントラキノンからの過酸化水素の抽出，分離，精製工程等に関し、問題が指摘されていた。
すなわち、上記各工程はいずれも複雑であり、製造効率（収率）が悪く、製造時間や製造設備費が嵩み、エネルギーを多量に消費する等々、過酸化水素の製造コスト面に大きな問題が存していた。
【０００７】
《第２の問題点》
第２に、アントラキノン法による製造方法では、人体や環境に有害なベンゼンその他の有機溶剤が、必須的に使用されている。
又、精密化学品，医薬品，電子材料等の製造工程では、過酸化水素が大量使用されているが、その製造工程からの廃棄物は量が膨大であり、環境への負荷が問題となっていた。
更に、製造設備が大掛かりとなるので、過酸化水素は、使用現場・需要場所では製造されずに、製造後に使用現場・需要場所へと搬送されることが多く、輸送途中の危険負担，事故不安が指摘されていた。
これらの各点に鑑み、人体や環境への安全面に問題が指摘されていた。
【０００８】
《本発明について》
本発明の過酸化水素の製造方法は、このような実情に鑑み、上記従来技術の課題を解決すべくなされたものである。
そして本発明は、第１に、過酸化水素を簡単容易かつ効率的に、製造コスト面に優れて製造でき、第２に、しかも人体や環境への安全面にも優れている、過酸化水素の製造方法を提案することを目的とする。
【課題を解決するための手段】
【０００９】
《請求項について》
このような課題を解決する本発明の技術的手段は、特許請求の範囲にも記載したように、次のとおりである。
この過酸化水素の製造方法では、マイクロリアクターのマイクロ流路に、三重項状態の酸素（３Ｏ２）ガスが水と共に気液混合流体として圧入供給されると共に、光照射面以外の流路形成面に付着コートされた光増感剤が、光照射手段にて光照射される。
そして該三重項状態の酸素と水との該気液混合流体は、粘性が支配的であり、該マイクロ流路を入り乱れて乱流となることなく滑るように層流となって流れる。
もって該気液混合流体は、単位容積当たりの接触面積が極めて広い状態で、該光増感剤と界面で接触すると共に、界面を介した分子相互間の分子拡散に基づき変換工程、そして中間反応工程や生成反応工程が実施される。
【００１０】
まず該変換工程では、光照射に基づく光吸収により該光増感剤において励起エネルギーが生成されると共に、生成された該励起エネルギーが界面で該三重項状態の酸素に移される。もって該三重項状態の酸素が、一重項状態の酸素（１Ｏ２）に変換される。
【００１１】
次に該中間反応工程では、該一重項状態の酸素は、その求核性に基づきプロトン（Ｈ＋）を捕捉して、ヒドロペルオキシド（ＨＯ２）が生成される。
【００１２】
もって該生成反応工程において、該ヒドロペルオキシドは、その求電子性に基づき、対電子（２ｅ−）およびプロトン（Ｈ＋）が付加されて、過酸化水素（Ｈ２Ｏ２）が生成される。
このように、マイクロリアクターを利用することにより、過酸化水素を使用現場・需要場所で製造可能となる機能を発揮すること、を特徴とする。
【００１３】
《作用等について》
本発明は、このような手段よりなるので、次のようになる。
（１）この製造方法では、まず変換工程において、光照射のもと光増感剤を使用して、水中で三重項状態の酸素が一重項状態の酸素に、励起，変換される。
（２）すなわちマイクロリアクターにおいて、流路形成面の光増感剤が光照射されることにより、マイクロ流路を水と共に流れる酸素が一重項化される。
（３）このように、供給された酸素が一重項化される。
（４）一重項化は、光吸収により光増感剤にて生成された励起エネルギーが、三重項状態の酸素に移されることにより、実施される。
（５）このようにして得られた一重項状態の酸素は、求核性（対電子供給性），強力な酸化力を有しており、次の中間反応工程において、プロトンを捕捉してヒドロペルオキシドが生成される。
（６）中間反応工程も、マイクロリアクターのマイクロ流路中で実施される。
（７）さて、得られたヒドロペルオキシドは、酸素端が対電子を求める求電子性を示し、次の生成反応工程において、対電子およびプロトンが付加されて過酸化水素が生成される。
（８）生成反応工程も、マイクロリアクターのマイクロ流路中で実施される。
（９）本発明の製造方法は、このように簡単容易かつ効率的に、過酸化水素を製造可能である。
（１０）しかも、有機溶剤を使用することなく、又、廃棄物による環境負荷も低減され、更に、過酸化水素の使用現場・需要場所での製造も可能となる。
（１１）そこで、本発明は次の効果を発揮する。
【発明の効果】
【００１４】
《第１の効果》
第１に、過酸化水素を簡単容易かつ効率的に、製造コスト面に優れつつ、製造可能である。
すなわち、本発明の製造方法では、所定のマイクロリアクターを利用すると共に、光照射のもと光増感剤を使用して、酸素を一重項化する変換工程、ヒドロペルオキシドを生成する中間反応工程、そして生成反応工程を辿ることにより、過酸化水素を製造する。
本発明は、大幅に簡単容易化された工程や装置にて酸素と水を使用して、過酸化水素を製造する。そこで、前述したこの種従来技術のアントラキノン法に比し、製造工程が複雑化することもなく、製造効率（収率）が向上し、製造時間が短縮化され、製造設備費も低減され、かつエネルギー消費も削減される。
もって過酸化水素が、コスト面に優れて製造，供給可能となり、大幅コストダウン，低価格化が実現される。
【００１５】
《第２の効果》
第２に、しかも人体や環境への安全面にも、優れている。すなわち本発明は、前述したこの種従来技術のアントラキノン法のように、過酸化水素の製造に際し、人体や環境に有害なベンゼンその他の有機溶剤は、使用されない。
又、精密化学品，医薬品，電子材料等の製造工程では、過酸化水素が大量使用されおり、製造工程からの廃棄物量も膨大であるが、本発明の採用により、アントラキノン法の場合に比し環境に優しく、廃棄物による環境負荷が大幅低減される。
更に製造設備も、アントラキノン法のように大掛かりなものとならず、簡単容易化される。そこで、過酸化水素をその使用現場・需要場所で製造可能となり、安全性が向上し、輸送途中の危険負担，事故不安が解消される。
このように、この種従来技術に存した課題がすべて解決される等、本発明の発揮する効果は、顕著にして大なるものがある。
【図面の簡単な説明】
【００１６】
【図１】本発明に係る過酸化水素の製造方法について、発明を実施するための形態の説明に供し、工程ブロック図である。
【図２】同発明を実施するための形態の説明に供し、（１）図は、マイクロリアクターの拡大した断面説明図、（２）図は、マイクロリアクターの平面説明図である。
【図３】同発明を実施するための形態の説明に供し、（１）図は、マイクロリアクターの分解斜視説明図である。（２）図は、本発明には属さない参考例を示し、その反応器の構成ブロック図である。
【図４】この種従来例の説明に供し、工程ブロック図である。
【図５】スピン量子状態の説明図であり、（１）図は三重項酸素に関し、（２）図は一重項酸素に関する。
【発明を実施するための形態】
【００１７】
以下、本発明を実施するための形態について、詳細に説明する。
《本発明の製造方法について》
まず、本発明に係る過酸化水素の製造方法の概要については、次の通り。
この過酸化水素の製造方法は、次の変換工程，中間反応工程，生成反応工程を、有している。変換工程では、光照射のもと光増感剤を使用して、水（Ｈ２Ｏ）中で三重項状態の酸素（３Ｏ２）を、励起状態の一重項状態の酸素（１Ｏ２）に変換する。
中間反応工程では、得られた一重項状態の酸素から、ヒドロペルオキシド（ＨＯ２）を生成する。生成反応工程では、生成されたヒドロペルオキシドから、過酸化水素（Ｈ２Ｏ２）を生成する。
本発明の製造方法の概要は、このようになっている。以下、この製造方法について詳述する。そしてまず、図１の（１）図を参照して詳述する。
【００１８】
《三重項状態の酸素，一重項状態の酸素》
本発明の製造方法の変換工程では、三重項状態の酸素が一重項状態の酸素に、励起され変換される。そこで、三重項状態の酸素と一重項状態の酸素について、説明しておく。
まず、酸素分子Ｏ２の電子基底状態は、三重項状態であり、酸素分子Ｏ２の一重項状態は、高エネルギー準位の電子励起状態である。
そして、一重項状態の酸素分子（１Ｏ２）は、求核性（対電子供給性）を備えており、通常の酸素分子つまり三重項状態の酸素分子（３Ｏ２）に比べ、強力な酸化力を有している。すなわち、図５の（１）図のスピン量子状態の説明図に示したように、電子基底状態の通常の状態で存在する酸素分子の外殻電子構造は、不対電子対２個を有する三重項状態である。
これに対し、図５の（２）図のスピン量子状態の説明図に示したように、電子励起状態の一重項状態の酸素分子の外殻電子構造は、対電子を有し求核性（対電子供給性）を備えており、電子基底状態の三重項状態の酸素分子に比し、外殻電子が保有するエネルギーが大となっている。一重項状態の酸素分子は、通常の三重項状態の酸素分子に比し、非常に大きなエネルギーを有しており、反応性に富んでおり、強力な酸化力を有している。なお図５において、電子殻のＫ殻（ｓ軌道）の図示は省略。
三重項状態の酸素，一重項状態の酸素については、以上のとおり。
【００１９】
《変換工程》
次に、本発明の製造方法の変換工程について、その概要を説明する。変換工程では、図１のステップ（１），（２），（３），（４）に示したように、光照射のもと光増感剤Ｐを使用して、水中で三重項状態の酸素を一重項状態の酸素に、励起，変換する。
光化学反応における触媒として機能する光増感剤Ｐとしては、ローズベンガル，メチレンブルー，その他の有機系の色素化合物や、ポリシリコン（ポーラスシリコン），その他の無機系材料等、光照射に基づき励起状態への項間交差に資すことが可能な物質を、広く含む。二酸化チタン（チタニア），その他の金属酸化物等、光触媒と称されるものも、これに包含される。
そして変換工程では、光吸収により光増感剤Ｐにおいて励起エネルギーが生成されると共に、このように生成された励起エネルギーが三重項状態の酸素に移され、もって三重項状態の酸素が、一重項状態の酸素に励起，変換される。
すなわち変換工程では、光増感剤Ｐを光照射して、→光増感剤Ｐに光量子ｈν（光エネルギー）を吸収させ、→もって、光増感剤Ｐを励起状態にする。→そして、光増感剤Ｐが基底状態に戻る際、放出する光量子（光エネルギー）を、三重項状態の酸素に吸収させることにより、→項間交差が起こり、励起状態の一重項状態の酸素が得られる。
このように、三重項状態の酸素を励起させて一重項状態とする項間交差、つまり化学反応に関与する外殻電子を励起させ、全スピン量子数に依拠するエネルギー状態をレベル変化させることは、エネルギー差が過大であり、通常は殆ど起こらない。すなわちスピン禁制とされている。これに対し、上述したように光増感剤Ｐを利用することにより、禁制が破られ、項間交差が行われる。
変換工程の概要については、以上のとおり。
【００２０】
《変換工程における反応等》
次に、このような変換工程における化学反応について、反応式等に基づき具体的に説明する。まず、光照射下の光増感剤Ｐについては、次のとおり。
光（光量子ｈν）照射により、光増感剤Ｐ表面の外殻軌道（定常軌道）にある外殻電子（ｅ−）が、励起されて外殻軌道から励起軌道に移る。もって、光増感剤Ｐ表面の外殻軌道には、電子が抜け出して欠損した電子空孔である正孔（ｈｏｌｅ＋）が、形成される。
形成された正孔は、他物質から電子を引き抜いて、その電子欠損を埋めようとする性質、つまり酸化力を有している。そこで、下記化３の反応式により、水分子（Ｈ２Ｏ）から電子を引き抜いて酸化し、これをラジカル分裂させて、プロトン（Ｈ＋）とＯＨラジカル（・ＯＨ）とを生成せしめる。
【００２１】
【化３】
0005508150.tif 000004
【００２２】
このように生成されたＯＨラジカルつまりヒドロキシラジカルは、周知のように強力な酸化力（電子奪取力）を有している。そこで、下記化４の反応式により、水分子を酸化分解する。すなわちＯＨラジカルは、水から水素原子を奪い、自身は水に回帰すると共に、酸化物として酸素分子（Ｏ２）を生成，分離しつつ、発生期の水素（Ｈ＋＋ｅ−）（水素ラジカルとも称される）を、生成する。
なお、ここで化３と化４の反応式をまとめて合成すると、下記化５の反応式が得られる。化５の反応式は、水分子の光酸化式（光化学分解反応式）として、広く知られている。
【００２３】
【化４】
0005508150.tif 000005
【化５】
0005508150.tif 000006
【００２４】
光照射下の光増感剤Ｐに関しては、上述したプロトンや電子の生成反応と共に、前述した酸素Ｏ２の項間交差が行われる。すなわち、下記化６の反応式により、三重項状態の酸素（３Ｏ２）が、光増感剤Ｐの励起に基づき、励起状態の一重項状態の酸素（１Ｏ２）に、励起されて遷移，変換される。
なお、下記化７は、化６の反応式について、最外殻電子を点表記した電子模式図である（下記化９，化１１の反応式についても同様）。
【００２５】
【化６】
0005508150.tif 000007
【化７】
0005508150.tif 000008
変換工程における反応等については、以上のとおり。
【００２６】
《中間反応工程，生成反応工程》
次に、本発明の製造方法に関し、上述した変換工程の次の中間反応工程、そして生成反応工程について、説明する。
まず、変換工程で得られた一重項状態の酸素は、前述したように、求核性（対電子供給性），強力な酸化力を備えている。そこで一重項状態の酸素は、中間反応工程では、図１のステップ（４），（５），（６）や下記化８，９の反応式に示したように、求核剤（対電子供給剤）となって、プロトンを捕捉する酸化プロセスを辿り、もってヒドロペルオキシド（ＨＯ２）が生成される。プロトン（Ｈ＋）については、前記化３，化４，化５の反応式を参照。
【００２７】
【化８】
0005508150.tif 000009
【化９】
0005508150.tif 000010
【００２８】
上述した中間反応工程で得られたヒドロペルオキシドは、その酸素端が、対電子を求める求電子性を示す。そこでヒドロペルオキシドは、次の生成反応工程において、下記化１０，１１の反応式に示したように、対電子（２ｅ−）およびプロトン（Ｈ＋）が付加される還元プロセスを辿り、もって過酸化水素（Ｈ２Ｏ２）が生成される。対電子およびプロトンについては、前記化４，化５の反応式を参照。
【００２９】
【化１０】
0005508150.tif 000011
【化１１】
0005508150.tif 000012
中間反応工程，生成反応工程については、以上のとおり。
【００３０】
《製造装置１について》
次に、製造装置１について、説明する。すなわち、上述した過酸化水素の製造方法、その変換工程，中間反応工程，生成反応工程を実施する、過酸化水素の製造装置１について説明する。
この製造装置１としては、図２や図３の（１）図に示したマイクロリアクター２が使用される。
【００３１】
《マイクロリアクター２を用いた製造装置１》
マイクロリアクター２を用いた製造装置１について、図２の（１）図，（２）図，図２の（１）図等を参照して説明する。
この製造装置１では、マイクロリアクター２のマイクロ流路４に、三重項状態の酸素が水と共に供給されると共に、流路形成面５に付着コートされた光増感剤Ｐが光照射され、もって、前述した製造工程の変換工程，中間反応工程，生成反応工程が実施される。
すなわち、マイクロリアクター２の流路形成面５に付着コートされた光増感剤Ｐへの光照射に基づき、マイクロ流路４に水と共に供給された三重項状態の酸素（３Ｏ２）が、一重項状態の酸素（１Ｏ２）に変換され、もって、一重項状態の酸素からヒドロペルオキシド（ＨＯ２）が生成されることに基づき、過酸化水素（Ｈ２Ｏ２）が生成される。
マイクロリアクター２を用いた製造装置１の概要は、以上のとおり。
【００３２】
《マイクロリアクター２》
これらについて、更に詳述する。まず、マイクロリアクター２について、説明する。
マイクロリアクター２は、マイクロオーダーの微細構造のマイクロ流路４を備えた反応器よりなり、マイクロ流路４は、流路幅が、数１０μｍ〜数１，０００μｍ程度、例えば１００μｍ〜５００μｍで、流路深さが、数μｍ〜数１００μｍ程度、例えば２５μｍ〜１００μｍよりなる。
図示のマイクロリアクター２は、例えば肉厚２ｍｍ程度の３枚重ねのガラスプレート板製よりなり、本体プレート６を上下から挟むように、ホルダープレート７，８が、密に重積，固定されたサンドイッチ構造よりなる。
本体プレート６には、マイクロ流路４が形成されており、上位のホルダープレート７は、図示例では光照射との関係から透明であり光透過性を備えているのに対し、下位のホルダープレート８は、透明でなくても良い。
マイクロ流路４はチャンネル状をなし、図示例では本体プレート６の長手方向に直線的、かつ短手方向に複数回繰り返しつつ往復して、略ジグザグ蛇行状に連続的に刻設形成されており、各折曲箇所は湾曲状にカーブしている。
【００３３】
そして、このようなマイクロ流路４の入口に対し、三重項状態の酸素ガスと水との気液混合流体Ｆが、供給部９からポンプ１０（代表的にはシリンジポンプ）や、微細チューブ（マイクロチューブ）１１を介して、圧入供給される。酸素ガスとしては、純酸素が用いられるが、酸素を含む気体も使用可能である。
本体プレート６に形成されるマイクロ流路４は、上面，両側面，底面等を備えた流路形成面５にて、断面半円状や断面矩形状に形成されている。図示例では、流路形成面５の上面が光透過用の光照射面１２となっているが、この光照射面１２は、開放されると共に上位のホルダープレート７で密閉，封鎖されている。
このような光照射面１２を除き、本体プレート６に形成されたマイクロ流路４は、その両側面や底面の流路形成面５に、光増感剤Ｐが付着コートせしめられている。例えば、ポリシリコン等の無機系の光増感剤Ｐが、焼付け，焼結，塗布等により、膜状に固定，担持せしめられている。
又、マイクロ流路４に対し、光照射手段１３が対向配設されている。光照射手段１３は、マイクロ流路４に対し、上位のホルダープレート７や光照射面１２を介し、対向配設されている。
光源である光照射手段１３としては、例えば水銀灯，ブラックライト，ＬＥＤ，更には自然エネルギーである太陽光等が使用可能である。そして、使用される光増感剤Ｐを光励起（光化学反応）させるに足る波長の光（光量子ｈν）を、照射する。例えば、波長２００ｎｍ〜３００ｎｍ程度の紫外線や、波長４００ｎｍ〜７００ｎｍ程度の可視光線を、照射する。
マイクロリアクター２は、このようになっている。
【００３４】
《マイクロリアクター２における反応等》
次に、マイクロリアクター２における反応等について、説明する。マイクロリアクター２のマイクロ流路４に圧入供給された気液混合流体Ｆ、つまり三重項状態の酸素（大部分が水に溶解して溶存酸素となる）と水は、マイクロ流路４の入口から出口に向けて、層流となって流れる。
層流については、次のとおり。マイクロ流路４は、流路幅が極めて小さく狭いと共に、気液混合流体Ｆが圧入供給されているので、レイノルズ数（慣性力と粘性による摩擦力との比である無次元数）が小さく、層流が形成される。気液混合流体Ｆは、粘性が支配的であり、入り乱れて乱流となることなく、滑るような層流となる。
もって、三重項状態の酸素と水との気液混合流体Ｆは、単位容積当たりの接触面積（比表面積）が極めて広い状態で、光増感剤Ｐと界面１４で接触しつつ層流となって流れて行く。
そして光増感剤Ｐは、光照射手段１３からの光照射に基づく光吸収により、励起エネルギーが生成される。もって、励起エネルギーが生成された光増感剤Ｐと、層流となって流れる気液混合流体Ｆとの界面１４、つまり光増感剤Ｐと三重項状態の酸素との界面１４では、励起エネルギーが、分子拡散に基づき、光増感剤Ｐ側から三重項状態の酸素側に移される。
もってマイクロ流路４では、このように励起エネルギーが移されることにより、三重項状態の酸素が一重項状態の酸素に変換される。そして、マイクロ流路４では、このような一重項状態の酸素への変換、それからヒドロペルオキシドの生成、そして過酸化水素の生成が行われる。
【００３５】
そして、このような反応は、分子拡散に基づいて行われる。各反応は、マイクロ流路４を層流となって流れる気液混合流体Ｆと光増感剤Ｐとの界面１４において、分子拡散により行われる。分子拡散については、次のとおり。
界面１４においては、乱流のように流体力学的力による流路幅方向への物質移動は、殆どなく、その為に費やされるエネルギーロスもない。流路幅方向への物質移動は、分子拡散が主体であり、流体力学的力による物質移動は、ほぼ流れ方向のみに働く。もって、上述した反応プロセスは、物質相互間の分子拡散に基づいて、しかも前述したように広い接触面積のもとで、行われる。
このように、マイクロリアクター２を採用したことにより、層流で広い接触面積の界面１４における分子拡散により、効率的，迅速，かつ確実に、変換工程，中間反応工程，生成反応工程が、実施される。得られた過酸化水素は、微細チューブ１１を介し回収部１５へと、例えば蒸留等により分離，抽出，回収される。
マイクロリアクター２における反応については、以上のとおり。マイクロリアクター２を用いた製造装置１は、このようになっている。
【００３６】
《参考例》
ここで、本発明には属さない参考例について、説明しておく。すなわち、図３の（２）図に示した反応器３を用いた、過酸化水素の製造装置１について、説明しておく。
この製造装置１の反応器３では、容器の水中に光増感剤Ｐが分散されると共に、酸素ガスつまり三重項状態の酸素（３Ｏ２）が供給され、その大部分が水に溶解して溶存酸素となる。代表的には、予め供給部１６から光増感剤Ｐが供給されて分散された水中に、後から三重項状態の酸素が供給部１７から供給される。
そして、光増感剤Ｐが光照射され、もって、三重項状態の酸素が一重項状態の酸素（１Ｏ２）に、励起，変換されると共に、一重項状態の酸素からヒドロペルオキシド（ＨＯ２）が生成されることに基づき、過酸化水素（Ｈ２Ｏ２）が生成される。光照射により、前述した変換工程，中間反応工程，生成反応工程が実施される。なお水供給部の図示は省略。
【００３７】
この反応器３を用いた製造装置１では、前述したマイクロリアクター２を用いた製造装置１とは異なり、粉末状の光増感剤Ｐが水中に分散される。すなわち、例えばローズベンガルやチレンブルー等の光増感剤Ｐは、微細粒子として水中に散在分布せしめられ、ほぼ均一に拡散状態となる。
もって、光照射手段１３による光増感剤Ｐへの光照射に基づき、前述したように、励起エネルギーの生成，移行が行われて酸素が一重項状態に変換され、ヒドロペルオキシドそして過酸化水素が生成されて、回収部１５へと例えば蒸留等により分離，抽出，回収される。
このようにこの製造装置１は、いわゆるバッチ方式の水上置換法に基づき過酸化水素を製造するが、前述したマイクロリアクター２、つまり界面１４での広い接触面積と分子拡散を利用した製造装置１と比較すると、効率面では劣るがコスト面では勝っている。
なお、光増感剤Ｐの水中分散と三重項状態の酸素の供給との時間的順序は、上述したように前者が先となるのが代表的であるが、同時又は後者を先とすることも可能である。
参考例については、以上のとおり。
【００３８】
《作用等》
本発明の過酸化水素の製造方法は、以上説明したように構成されている。そこで、以下のようになる。
（１）本発明の製造方法では、まず変換工程において、光照射のもと光増感剤Ｐを使用することにより、水中で通常の三重項状態の酸素（３Ｏ２）が励起され、もって励起状態の一重項状態の酸素（１Ｏ２）に、変換される（前記化６，化７の反応式や、図１のステップ（１），（２），（３），（４）等を参照）。
【００３９】
（２）すなわち、マイクロリアクター２の流路形成面５に付着コートされた光増感剤Ｐが、光照射手段１３にて光照射される。
もって、光増感剤Ｐとの界面１４において、マイクロ流路４を水と共に層流となって流れる気液混合流体Ｆの三重項状態の酸素が、分子拡散に基づき一重項状態の酸素に、励起されて変換される（図２の（１）図，（２）図，図３の（１）図等を参照）。
【００４０】
（３）このように、水中に供給された三重項状態の酸素が、一重項状態の酸素に励起，変換される。
【００４１】
（４）そして、このような変換工程は、マイクロリアクター２を利用した製造装置１において、次のように実施される。
すなわち、光吸収により光増感剤Ｐにて励起エネルギーが生成されると共に、→生成された励磁エネルギーが、三重項状態の酸素に移されることにより、→三重項状態の酸素が、一重項状態の酸素に、励起，変換される。
【００４２】
（５）この製造方法では、このように変換工程において一重項状態の酸素が得られると共に、次の中間反応工程において、一重項状態の酸素からヒドロペルオキシド（ＨＯ２）が生成される。
すなわち、一重項状態の酸素は、求核性（対電子供給性）を備えており、通常の三重項状態の酸素に比べ強力な酸化力を有している。もってプロトン（Ｈ＋）を捕捉して、ヒドロペルオキシドが生成される（前記化８，９の反応式、更には前記化３，４，５の反応式や、図１のステップ（４），（５），（６）等を参照）。
【００４３】
（６）このような中間反応工程の酸化プロセスは、マイクロリアクター２を利用した製造装置１において、マイクロ流路４の気液混合流体Ｆ中や反応器３の水中にて、行われる（図２，図３を参照）。
【００４４】
（７）この製造方法では、このように中間反応工程においてヒドロペルオキシドが得られると、次の生成反応工程において、ヒドロペルオキシド（ＨＯ２）から過酸化水素が生成される。
すなわちヒドロペルオキシドは、その酸素端が対電子を求める求電子性を示し、対電子（２ｅ−）およびプロトン（Ｈ＋）が付加されることにより、過酸化水素が生成される（前記式１０，１１の反応式、更には前記化３，４，５の反応式や、図１のステップ（６），（７），（８）等を参照）。
【００４５】
（８）このような生成反応工程は、マイクロリアクター２を利用した製造装置１において、マイクロ流路４の気液混合流体Ｆ中にて、行われる（図２，図３を参照）。
【００４６】
（９）このように、本発明の製造方法は、一重項状態の酸素の求核性（対電子供給性），酸化力に着目すると共に、所定のマイクロリアクター２を光増感剤Ｐと共に採用したことにより、過酸化水素を、酸素（空気）と水から簡単容易に製造可能である。
簡単な構成により工程が複雑化することもなく、容易な製造方法にて、一重項状態の酸素の両端に水素原子を付加させることにより、過酸化水素が製造される。
【００４７】
（１０）しかも、本発明の製法方法では、有機溶剤は使用されない。又、製造に伴い発生する廃棄物による環境負荷も、大幅低減される。更に、簡単容易化された製造装置１により、過酸化水素の使用現場・需要場所での製造も、可能となる。
本発明の作用等については、以上のとおり。
【符号の説明】
【００４８】
１  製造装置
２  マイクロリアクター
３  反応器
４  マイクロ流路
５  流路形成面
６  本体プレート
７  ホルダープレート
８  ホルダープレート
９  供給部
１０  ポンプ
１１微細チューブ
１２  光照射面
１３  光照射手段
１４  界面
１５  回収部
１６  供給部
１７  供給部
Ｆ  気液混合流体
Ｐ  光増感剤
【図１】
0005508150.tif 000013
【図２】
0005508150.tif 000014
【図３】
0005508150.tif 000015
【図４】
0005508150.tif 000016
【図５】
0005508150.tif 000017